(57)【特許請求の範囲】
【請求項１】
ジャックと、プラグとからなるコネクタのプラグ検知スウィッチであって、
弾性変位可能な板状の接触部を有する接続端子と、
この接触部の変位領域内にある絶縁性の押し玉と、
板状の可動部を含む第１端子、板状部を含む第２端子を有するスウィッチ端子と、を備え、
前記板状の接触部、前記第１端子の板状の可動部、前記第２端子の板状部がプラグ挿入方向に対して垂直方向に離間して並ぶとともに、前記押し玉が前記接続端子の接触部と前記第１端子の可動部との間に配置され、
前記接続端子４０は、端部に嵌合方向に沿って延びる板状の接触部４３ａを備えた平面視Ｕ字形の弾性片である接続部４３を備え、この接触部４３ａは、嵌合位置にある前記プラグＰの幅方向に直交する上下方向最下端よりやや幅方向に寄った先頭部Ｐ１周面に弾接し、
前記プラグが挿入されたとき、前記接続端子の接触部は反プラグ方向に相当する外方向に変位し、この変位した接触部の外側面が前記押し玉の内側面に当たり、この当たりによって生じる押し玉の変位は、前記第１端子の可動部を外方向に変位させ、この可動部が変位して前記第２端子の板状部に電気的に接続するところに特徴を有するプラグ検知スウィッチ。
【請求項２】
前記押し玉が前記第１端子の可動部の内側面に備わるところに特徴を有する請求項１記載のプラグ検知スウィッチ。
【請求項３】
前記接続端子の接触部が前記プラグの先頭部に接続する位置に装着され、挿入方向に沿って延びているところに特徴を有する請求項１又は２記載のプラグ検知スウィッチ。
【請求項４】
前記接続端子の接触部、前記第１端子、前記第２端子が挿入されたプラグに対して基板実装面側に離間して並んだ状態で備わるところに特徴を有する請求項３記載のプラグ検知スウィッチ。
【請求項５】
請求項１から４の内１項記載の検知スウィッチを備えたジャック。
【発明の詳細な説明】
【技術分野】
【０００１】
本発明は、プラグ検知スウィッチ、プラグ検知方法に関する。
【背景技術】
【０００２】
先行技術として、オーディオビジュアル・ジャックのプラグ検知スウィッチにおいて、プラグ検知スウィッチのスウィッチ端子と、プラグとが直接接触することによって生じるノイズの問題を解決するために、樹脂玉をスウィッチ端子に取り付けてプラグとスウィッチを直接接触させないスウィッチ構造が提案されている（特許文献１）。
しかし、この技術によれば、ジャックにプラグが挿抜される際、摺動面から樹脂玉の削りカスが発生し、プラグとジャック間の接続不良を来たすおそれがある。
【先行技術文献】
【特許文献】
【０００３】
【特許文献１】実用新案登録公報第３１５７９３２号公報
【発明の概要】
【発明が解決しようとする課題】
【０００４】
本発明は、上記事情に鑑みてなされたものであって、プラグ検知スウィッチのスウィッチ端子と、プラグとが直接接触することがなく、且つ、プラグの挿抜によっても樹脂の削りカスが生じるおそれがないプラグ検知スウィッチ、及びプラグ検知方法を提供することを目的とする。
さらに別の目的は、ジャックの小型化の妨げにならない、上述したようなプラグ検知スウィッチが組み込まれたジャックを提供することである。
【課題を解決するための手段】
【０００５】
上記課題を解決するため、本発明のプラグ検知スウィッチは、（１）ジャックと、プラグとからなるコネクタのプラグ検知スウィッチであって、弾性変位可能な板状の接触部を有する接続端子と、この接触部の変位領域内にある絶縁性の押し玉と、板状の可動部を含む第１端子、板状部を含む第２端子を有するスウィッチ端子と、を備え、前記板状の接触部、前記第１端子の板状の可動部、前記第２端子の板状部がプラグ挿入方向に対して垂直方向に離間して並ぶとともに、前記押し玉が前記接続端子の接触部と前記第１端子の可動部との間に配置され、前記接続端子４０は、端部に嵌合方向に沿って延びる板状の接触部４３ａを備えた平面視Ｕ字形の弾性片である接続部４３を備え、この接触部４３ａは、嵌合位置にある前記プラグＰの幅方向に直交する上下方向最下端よりやや幅方向に寄った先頭部Ｐ１周面に弾接し、前記プラグが挿入されたとき、前記接続端子の接触部は反プラグ方向に相当する外方向に変位し、この変位した接触部の外側面が前記押し玉の内側面に当たり、この当たりによって生じる押し玉の変位は、前記第１端子の可動部を外方向に変位させ、この可動部が変位して前記第２端子の板状部に電気的に接続するところに特徴を有するものである。
【０００６】
この発明によれば、プラグ挿入方向に対して垂直方向に相当する内外方向に変位する接続端子の動きを利用して、間に絶縁性の押し玉を介して検知スウィッチを開閉するものである。これにより、プラグが直接スウィッチ端子に接触することなく、さらにプラグが押し玉と摺接しながら嵌合位置まで挿入されることもなく、ジャックに対するプラグの挿入有無が検知されるものである。したがって、導電性のスウィッチ端子がプラグに直接接続することによって生じるノイズに係わる問題が発生することがなく、また、プラグの挿抜によっても樹脂の削りカス等が生じるおそれがないプラグ検知スウィッチが提供される。
【０００７】
また、既設の接続端子が大きな設計変更することなく利用可能で、これら接続端子、第１端子、第２端子は、僅かな隙間を設けることで重なるようにして配置可能である。これにより、ジャックの小型化の妨げにならないように、検知スウィッチを備えることができ
る。
【０００８】
ここで絶縁性の押し玉は、ナイロンやＰＢＴ等の合成樹脂製であってよく、或いは天然ゴム、合成ゴム等のゴム製であってもよい。さらには、金属等の導電性の物質であっても、表面が絶縁処理されたものであれば、そういうものであってもよい。
押し玉は、接続端子の接触部と、第１端子の可動部との間に位置しておればよい。たとえば、押し玉が接続端子の接触部に直接備わる場合であってよく、或いは、押し玉が第１端子の可動部に直接備わる場合であってよい。このような場合、インサート成形によって対応端子に成形されるものであってよい。或いは、別体物の押し玉が接着剤で対応端子に接続される場合であってよい。
さらに押し玉は、接続端子の接触部の一部が凸状に曲げられて、その表面がたとえば絶縁樹脂で被覆されて、第１端子との接続部が絶縁性処理された場合であってよい。勿論、第１端子の一部が凸状に曲げられて表面が絶縁性処理された場合であってよい。
【０００９】
また、絶縁性の押し玉は、端子の板厚程度の厚みを有する場合であってよいし、端子板厚の３〜５倍程度の厚みを有する場合であってよい。インサート成形で押し玉を形成する場合は、３〜５倍程度の厚みを有する場合が適している。さらには、たとえば絶縁性塗料によって形成された薄い塗膜状の場合であってよい。このような場合も概ね上述した効果が得られる。
【００１０】
さらに好ましくは、本発明のプラグ検知スウィッチは、（２）前記押し玉が前記第１端子の可動部の内側面に備わるところに特徴を有する（１）記載のものである。
【００１１】
この発明によれば、押し玉が第１端子の可動部の内側に備わり、接続端子の変位によって押し玉が押されることで、接続端子と、第１端子とが直接接触することなく、押し玉を介して第１端子と第２端子との接点が形成される。したがって、導電性のスウィッチ端子がプラグに接続することによって生じるノイズに係わる問題が発生することがなく、また、プラグの挿抜によっても樹脂の削りカス等が生じるおそれが生じないプラグ検知スウィッチが提供されるとともに、嵩高くならない検知スウィッチ構造が得られる。したがって、ジャックの小型化の妨げにならない検知スウィッチが得られる。
【００１２】
ここで、押し玉は、第１端子の可動部にインサート成形によって形成される場合であってよい。そのとき、押し玉は、第１端子の可動部の内側面以外に両板厚面も含めて外側面まで囲う場合であってよい。また、内側面だけが絶縁性塗膜で被覆された場合であってもよい。このような場合も概ね上述した効果が得られる。
【００１３】
さらに好ましくは、本発明のプラグ検知スウィッチは、（３）前記接続端子の接触部が前記プラグの先頭部に接続する位置に装着され、挿入方向に沿って延びているところに特徴を有する（１）又は（２）記載のものである。
【００１４】
この発明によれば、プラグの径が最も小さくなるプラグ先頭部に接続端子の接触部が位置する。この接続端子に対して僅かな隙間を形成するようにしてスウィッチ端子の配置が可能である。これにより、検知スウィッチは、ハウジングの空間を有効に利用することができる。これにより、導電性のスウィッチ端子がプラグに接続することによって生じるノイズに係わる問題が発生することがなく、また、プラグの挿抜によっても樹脂の削りカス等が生じるおそれがないプラグ検知スウィッチが提供されるとともに、ジャックの小型化の妨げにならない検知スウィッチが得られる。
【００１５】
さらに好ましくは、本発明のプラグ検知スウィッチは、（４）前記接続端子の接触部、前記第１端子、前記第２端子が挿入されたプラグに対して基板実装面側に離間して並んだ状
態で備わるところに特徴を有する（３）記載のものである。
【００１６】
この発明によれば、接続端子の接触部、第１端子、第２端子は、プラグに対して基板実装面側に離間して並んだ状態で備わるので、検知スウィッチの構造がコンパクトに一方向にまとまる。たとえば、他の接続端子もこの方向に組み付けられる場合には、この方向以外の三方向の薄型化が可能になる。これにより、導電性のスウィッチ端子がプラグに接続することによって生じるノイズに係わる問題が発生することがなく、また、プラグの挿抜によっても樹脂の削りカス等が生じるおそれがないプラグ検知スウィッチが提供されるとともに、さらに一層ジャックの小型化の妨げにならない検知スウィッチが得られる。
【図面の簡単な説明】
【００１８】
【図１】図１は、本発明の実施形態に係る検知スウィッチのしくみを示す側面図であって、（Ａ）は挿入前、（Ｂ）は挿入中、（Ｃ）は正規嵌合状態、（Ｄ）は、上記（Ｃ）のＤ−Ｄ断面図である。
【図２】図２は、図１に示す状態の斜視図であって、（Ａ）は挿入前、（Ｂ）は挿入中、（Ｃ）は正規嵌合状態である。
【図３】図３は、本発明の実施形態に係る検知スウィッチを構成する接続端子の外観斜視図である。
【図４】図４は、同検知スウィッチを構成する第１スウィッチ端子の外観斜視図である。
【図５】図５は、同検知スウィッチを構成する第２スウィッチ端子の外観斜視図である。
【図６】図６は、同樹脂玉の外観斜視図である。
【図７】図７は、同検知スウィッチが組み付けられる過程を示す工程図であって、（Ａ）は、第２スウィッチ端子が組み付けられる状態、（Ｂ）は、第１スウィッチ端子が組み付けられる状態、（Ｃ）は接続端子が組み付けられる状態である。
【図８】図８は、同検知スウィッチがハウジングに組み付けられた状態を示す外観斜視図である。
【図９】図９は、図８のＩＸ−ＩＸ断面の断面図であって、（Ａ）は、プラグ挿入前、（Ｂ）はプラグが正規嵌合位置にある状態である。
【発明を実施するための形態】
【００１９】
本発明の実施形態を添付図面に基づいて説明するが、本発明の技術的範囲は、これらの実施形態によって限定されるものではなく、発明の要旨を逸脱しない範囲で実施することができる。図１は、本発明の実施形態に係る検知スウィッチのしくみを示す模式図であって、（Ａ）は挿入前、（Ｂ）は挿入中、（Ｃ）は正規嵌合状態、（Ｄ）は、上記（Ｃ）のＤ−Ｄ断面図である。図２は、図１に示す状態の斜視図であって、（Ａ）は挿入前、（Ｂ）は挿入中、（Ｃ）は正規嵌合状態である。
なお、説明中指示方向が明確になるよう方向を定義しておくと、図２に示されるように
、プラグの軸線に沿って挿入方向が前、反対方向が後、挿入方向に向かって右手側が右、反対側が左、及び紙面上方が上、反対側が下である。
また、特許請求の範囲で使用する用語と、明細書で使用する用語との対応関係を示しておくと、押し玉は、樹脂玉に対応し、第１端子は、第１スウィッチ端子に対応し、第２端子は、第２スウィッチ端子に対応し、プラグ検知スウィッチは、検知スウィッチに対応する。
【００２０】
〔検知スウィッチ〕
検知スウィッチ２は、図１、図２に示されるように、接続端子４０、第１スウィッチ端子２０、第２スウィッチ端子３０、及び樹脂玉５０を備えている。検知スウィッチ２は、ジャック１に嵌合されたプラグＰ先頭部の下方やや左寄りに接続端子４０の接触部４３ａが弾接する位置に備わる。本実施形態の検知スウィッチ２は、第１スウィッチ端子２０、第２スウィッチ端子３０、接続端子４０、及び樹脂玉５０が、上下方向に離間して並ぶような態様で備わる。接続端子４０は、最上部に備わり、その下に第１スウィッチ端子２０、第２スウィッチ端子３０が備わる。樹脂玉５０はインサート成形によって第１スウィッチ端子２０に形成されている。
【００２１】
〔スウィッチ端子〕
スウィッチ端子は、図１、図２に示されるように、第１スウィッチ端子２０と、第２スウィッチ端子３０とを備えている。第１スウィッチ端子２０、及び第２スウィッチ端子３０は、導電性の金属板状体から成形された板状片であり、比較的剛性のあるリン青銅などの銅合金が広く使用される弾性片でもある。また、表面は金メッキによって接触性、耐久性が高められている。
スウィッチ端子２０について図面を参照しつつ説明する。図４は、同検知スウィッチを構成する第１スウィッチ端子の外観斜視図である。図５は、同検知スウィッチを構成する第２スウィッチ端子の外観斜視図である。
【００２２】
〔第１スウィッチ端子〕
第１スウィッチ端子２０は、図４に示されるように、実装部２１、固定部２２、可動部２３を備えている。固定部２２は、平面視矩形の板状体で後辺から後方に可動部２３が延出し、前辺からは実装部２１が延出している。固定部２２は、ハウジング１０に圧入保持される圧入代２２ａ、２２ａを備えている。圧入代２２ａは、固定部２２の左右両辺に形成された板厚片である。可動部２３は、板幅を一定にしてほぼ直線状に延びる弾性片であり、先端を自由端にして上下方向に変位可能である。可動部２３は、先端手前に平面視矩形の接触部２３ａを備えている。接触部２３ａは、下方に湾曲した緩やかな曲面構成で、この湾面で第２スウィッチ端子３０に弾接し接点を形成する。
可動部２３は、中央部に樹脂玉を取り付けるための樹脂玉取り付け部２４を備えている。この樹脂玉取り付け部２４は、外れ留め用の係止部２４ａを備えている。
【００２３】
実装部２１は、固定部２２の前辺から出て下方に向かい下端で再び向きを変えて前方に向かう。先端には、基板に接続するためのリード部２１ａが備わる。リード部２１ａは、はんだによって基板に接続される、幅の細い板状片である。
【００２４】
〔第２スウィッチ端子〕
第２スウィッチ端子３０は、図５に示されるように、導電性の金属板状体から成形された板状片であり、比較的剛性のあるリン青銅などの銅合金が広く使用されている。また、表面は金メッキによって接触性、耐久性が高められている。第２スウィッチ端子３０は、実装部３１、固定部３２、接触部３３を備えている。固定部３２は、平面視矩形の板状体で後辺から接触部３３が延出し、前辺からは実装部３１が延出している。固定部３２は、ハウジング１０に圧入保持される圧入代３２ａ、３２ａを備えている。圧入代３２ａ、３
２ａは、固定部３２の左右両辺に形成された板厚片である。
【００２５】
接触部３３は、一定の幅で後方に延びる、先端を自由端にする弾性片である。実装部３１は、はんだによって基板に接続される、幅の細い板状片である。
実装部３１は、固定部３２の前辺から出てすぐ真下に延び、下端で再度向きを変えて後方に延びる。先端には基板に接続するためのリード部３１ａが備わる。
【００２６】
〔接続端子〕
検知スウィッチ２を構成する接続端子４０について、図面を参照しながら説明する。図３は、本発明の実施形態に係る検知スウィッチを構成する接続端子の外観斜視図である。
接続端子は、図３に示されるように、導電性の金属板状体から成形された板状片であり、比較的剛性のあるリン青銅などの銅合金が広く使用される弾性片でもある。また、表面は金メッキによって接触性、耐久性が高められている。接続端子４０は、実装部４１、固定部４２、接続部４３を備えている。
【００２７】
固定部４２は、板状体で後辺から後方に接続部４３が延出し、前辺から実装部４１が延出している。固定部４２は、ハウジング１０に圧入保持される圧入代４２ａ、４２ａを備えている。圧入代４２ａは、固定部４２の左右両辺に形成された板厚片である。接続部４３は、嵌合されたプラグＰと電気的機械的に接続する上下に変位可能な弾性片である。接続部４３は、固定部４２の後辺からやや斜め上方に向かって延びて上端で水平に向きを変え、さらに９０度向きを変えて左方に延び、その端部に前方に向かって延びる板状の接触部４３ａを備えた弾性片である。すなわち、接続部４３は平面視Ｕ字形である。この接触部４３ａは、前方に向かって延びる中間部でやや斜め上方に向かう傾斜部４４があり、そのために前半分は後半分に比べて一段高くなっている。接触部４３ａは、挿入されて正規嵌合位置にあるプラグＰの下端やや左よりの先頭部Ｐ１周面に弾接する。この弾接が接線方向に沿うように、接触部４３ａは内側が下方にやや傾くように延びている。
【００２８】
実装部４１は、はんだによって基板に接続される幅の細い板状片である。実装部４１は、固定部４２の前辺から出てすぐ真下に延び、下端で再度向きを後方に変えて延びる。先端には基板に接続するためのリード部４１ａが備わる。
【００２９】
樹脂玉について、図面を参照しながら説明する。図６は、本発明の実施形態に係る樹脂玉の外観斜視図である。
樹脂玉５０は、図６に示されるように、平面視略矩形の略矩形体である。詳細に見ると、樹脂玉５０は、上面に曲面で構成される当たり面５１を備えている。樹脂玉５０は、左右側面視は台形状であり、前後側面視は上辺が緩やかに弧を描いたドーム状である。さらに後面の上下辺にはＣ面加工がなされている。樹脂玉５０は、合成樹脂の射出成形品である。樹脂材料として６Ｔナイロンのような比較的硬度の高いものが選択可能である。また樹脂玉５０は、図１、図２に示されるように、第１スウィッチ端子２０に取り付けられて使用されるのだが本実施形態の場合、インサート成形によって取り付けられる。
樹脂玉５０は、図２に示されるように、弧を描いた当たり面５１が上面になるように第１スウィッチ端子２０に形成されて、組み付け後は接続端子４０の接触部４３ａに対向する。また、厚みが薄くなったほうが内側（右側）に向かうようにして取り付けられる。
【００３０】
〔検知スウィッチの組み付け〕
検知スウィッチの組み付けについて、図面を参照しながら説明する。図７は、同検知スウィッチが組み付けられる過程を示す工程図であって、（Ａ）は、第２スウィッチ端子が組み付けられる状態、（Ｂ）は、第１スウィッチ端子が組み付けられる状態、（Ｃ）は接続端子が組み付けられる状態である。図８は、同検知スウィッチがハウジングに組み付けられた状態を示す外観斜視図である。図９は、図８のＩＸ−ＩＸ断面の断面図であって、
（Ａ）は、プラグ挿入前、（Ｂ）はプラグが正規嵌合位置にある状態である。
【００３１】
検知スウィッチ２は、図７、図８に示されるように、ハウジング１０の前方の開口部１６から組み付けられる。検知スウィッチ２は、プラグＰの先頭部Ｐ１に接続する接続端子４０、樹脂玉５０がインサート成形された第１スウィッチ端子２０、及び第２スウィッチ端子３０で構成される。組み付けは、第２スウィッチ端子３０、第１スウィッチ端子２０、接続端子４０の順で組み付けられる。組み付けは、第１スウィッチ端子２０、第２スウィッチ端子３０、接続端子４０に備わる各々の固定部２２、３２、４２の圧入代２２ａ、３２ａ、４２ａをハウジング１０の所定の圧入溝１５に圧入することによっておこなわれる。
【００３２】
ハウジング１０は、下壁１４中央部に縦壁１４ａを備えている。縦壁１４ａは、上方に延びてプラグＰの嵌合空間１９手前に先端が位置する。左右側壁１２、１３の内側、及び縦壁１４ａの左右側面は、第１スウィッチ端子２０、第２スウィッチ端子３０、及び接続端子４０を固定するための圧入溝１５を備えている（本発明に直接係わりのない接続端子を圧入するための圧入溝も備えている）。圧入溝１５は、凹状で、左右側壁１２、１３の内側、及び縦壁１４ａの左右側面の対向位置に備わる。
【００３３】
〔検知スウィッチ構造〕
検知スウィッチ２は、図８、図９に示されるように、接続端子４０、第１スウィッチ端子２０、第２スウィッチ端子３０で構成される。検知スウィッチ２は、ハウジング１０の内側下部に備わる。検知スウィッチ２は、正規嵌合位置にあるプラグＰの先頭部Ｐ１に当接する位置、すなわちハウジング１０の前方に備わる。検知スウィッチ２は、基部や中間部に比べて直径が小さくなったプラグＰの先頭部Ｐ１周囲の空間を利用して組み付けられている。その組み付けられる方向は、接続端子４０、第１スウィッチ端子２０、及び第２スウィッチ端子３０の各自由端が軸心に沿って後方に延びる方向である。これにより、ジャック１の小型化の大きな妨げにはならないように検知スウィッチ２を備えることができる。検知スウィッチ２を構成する接続端子４０は、正規嵌合位置にあるプラグ先頭部Ｐ１に弾接する位置に備わっている。
【００３４】
接続端子４０は、図１、図２に示されるように、固定部４２の後辺から後方に延びて先端が直角に二回方向を変えて元の方向（前方）に向かう平面視Ｕ字形の接続部４３を備えている。これにより、基部から自由端までのバネ長が長く確保されるのでプラグの挿抜繰り返しに対する耐久性の向上が図られている。接続端子４０は、固定部４２の後辺から連なるＵ字形の接続部４３の自由端が前方に延び、その先端部がプラグ先頭部Ｐ１に弾接する。したがって、接続部４３は、固定部４２を基部（第１基部）として上下方向に弾性的に変位可能である。
【００３５】
ただし、プラグＰが挿入途中に接続端子４０に接触して、接続端子４０が（下方に）所定量変位すると、接続部４３の左右方向の中間部に備わる突起部４５がハウジング１０の縦壁１４ａの先端に当接する。この当接によって、接続部４３は、この突起部４５を基部（第２基部）として弾性的に変位するようになる。すなわち、接続端子４０の接続部４３は、プラグＰの挿入によって、つまり挿入深さによって、その基部位置が上記した第１基部から第２基部に変化するようになっている。この基部位置の変化は、挿入初期には弾性力が緩やかに作用し、挿入後期（正規嵌合位置付近）には弾性力が強く作用するように変化を生む。これにより、プラグ挿入初期には、大きな挿入抵抗として作用しないが、挿入後期からプラグが正規嵌合位置にあるときには、大きな挿入抵抗として作用する。したがって、プラグに大きな保持力を作用させてプラグの不用意な脱抜を防ぐこととなる。
【００３６】
接続端子４０は、図２の（Ｂ）に示されるように、Ｕ字形の接続部４３が前方に自由端
を向けて正規嵌合位置にあるプラグ先頭部Ｐ１下端左寄りに弾接する。弾接面はプラグＰ周面の接線方向に概ね平行で、弾接方向は、概ね半径方向に向いている。これにより、接続部４３の接触部４３ａは、プラグＰの中心に向かって弾接力を作用させることができ、プラグ挿抜が繰り返されてもＵ字形に曲げられた接続部４３が変形するおそれが軽減されるようになっている。プラグＰの挿抜によって、接続部４３は固定部４２を基部とするＵ字形の先端が自由端として弾性的に変位する。
【００３７】
接続部４３の接触部４３ａは、プラグＰ周面の接線方向をその接触面に含むように備わり、図１、図２に示されるように、プラグ先頭部Ｐ１下端左寄りにやや傾いて配置されている。接続部４３の接触部４３ａは、中央から前方にかけて緩やかに上方に傾斜した傾斜部４４を備え、先端でこの傾斜を戻して水平になりそのまま前方に延びている。すなわち、接続部４３の接触部４３ａは、図１の（Ｂ）に示されるように、前面が後面に比べてやや高い位置にある側面視上下段差付きの構造である。挿入されるプラグＰは、挿入初期に接触部４３ａの下段側に当接し、挿入後期（正規嵌合位置付近）にこの上段側に当接する。これにより、正規嵌合位置で接触部４３ａは、大きく弾性的に変位して大きな反力をプラグＰに作用させることができる。この反力は、信頼性の高い接触力として作用するとともに、正規嵌合位置にあるプラグＰが不用意に抜けないようにする保持力としても作用する。
【００３８】
接続部４３は、図１、図２、図８に示されるように、固定部４２を基部とする弾性片で、弾性域は、概ねプラグＰの半径方向である。第１スウィッチ端子２０は、図１、図２、図８に示されるように、その可動部２３が接触部４３ａの下方に位置するように配置されている。第１スウィッチ端子２０の可動部２３は、挿入方向に相当する前方を基部とし、反挿入方向に相当する後方を自由端とする弾性片である。可動方向は上下方向である。第１スウィッチ端子２０は、先端の接触部２３ａが少し下方に傾いている。第１スウィッチ端子２０は、可動部２３の中間部に、接触部４３ａの下段側下面と向き合う位置に樹脂玉５０を備えている。
【００３９】
樹脂玉５０は、図１、図６に示されるように、左右側面視台形で後方に向かって漸次薄くなっている。この台形の傾きは組み付け後下側に付き、プラグ挿入によって下方に変位した樹脂玉５０が第２スウィッチ端子３０に干渉しないようにするために設けられている。樹脂玉５０は、可動部２３の幅全体を包むようにして成形されるとともに、可動部２３は、下方に対して上方の肉厚がやや厚くなる位置で樹脂玉５０の前後側面を貫いている。樹脂玉５０の上面の曲面は、接触部４３ａとの当接が偏当たりすることがないように設けられている。
【００４０】
第２スウィッチ端子３０は、図１、図８に示されるように、第１スウィッチ端子２０と同じく、固定部３２の後辺から後方に延びる接触部３３を備えた弾性片である。接触部３３は、ハウジング１０下壁１４との間に僅かに隙間を有していて、この空間内で弾性的に変位可能である。第２スウィッチ端子３０の接触部３３は、無負荷状態（プラグＰが挿入されていない状態）で第１スウィッチ端子２０の可動部２３の下方に離間して位置している。第２スウィッチ端子３０は、接触部３３の先端が上方に少し跳ね上げられている。
接続端子４０、第１スウィッチ端子２０、第２スウィッチ端子３０は、無負荷状態（プラグＰが挿入されていない状態）では、互いに離間した位置におかれている。
【００４１】
〔検知スウィッチの動作〕
検知スウィッチの動作について、図面を参照しながら説明する。図１は、本発明の実施形態に係る検知スウィッチのしくみを示す模式図であって、（Ａ）は挿入前、（Ｂ）は挿入中、（Ｃ）は正規嵌合状態、（Ｄ）は、上記（Ｃ）のＤ−Ｄ断面図である。図２は、図１に示す状態の斜視図であって、（Ａ）は挿入前、（Ｂ）は挿入中、（Ｃ）は正規嵌合状
態である。図９は、図８のＩＸ−ＩＸ断面の断面図であって、（Ａ）は、プラグ挿入前、（Ｂ）はプラグが正規嵌合位置にある状態である。
【００４２】
ジャック１にプラグＰが挿入される前は、図１の（Ａ）、図２の（Ａ）、及び図９の（Ａ）に示されるように、接続端子４０は無負荷状態にあるから、その接触部４３ａは、樹脂玉５０、及び第１スウィッチ端子２０から離間した位置にある。第１スウィッチ端子２０は、無負荷状態、すなわち樹脂玉５０に干渉するものは何もないから、いわゆる中立の状態にある。第２スウィッチ端子３０も、第１スウィッチ端子２０から離間した位置にあり、接触部３３に接触するものは何もない。
したがって、検知スウィッチ２は、無負荷状態すなわちプラグＰが挿入されていない状態では、第１スウィッチ端子２０と、第２スウィッチ端子３０との間に導通部分が生じていない。これにより、プラグ検知回路は開いたままの状態である。したがって、状態を正確に認識して、ジャック１にはプラグＰが挿入されていない状態であるとの判断がなされる。
【００４３】
ジャック１にプラグＰが挿入される途中の状態は、図１の（Ｂ）、図２の（Ｂ）に示されるように、プラグ先頭部Ｐ１が接続端子４０の接触部４３ａに当接し、接触部４３ａが下方に変位し始める。この変位は弾性的で、接続端子４０の接触部４３ａは、プラグＰ周面に弾性的押圧を加え、その結果、電気的な接続状態が構成される。同時に、接触部４３ａの下方への変位によって、この変位量が所定量を超えたときから、接触部４３ａ下面は、樹脂玉５０上面に対して力を下方に加え始める。
【００４４】
接触部４３ａ下面と樹脂玉５０上面の当たり面５１との接触によって、第１スウィッチ端子２０は、樹脂玉５０につながる可動部２３に変位が生じ始める。変位は下方への変位である。可動部２３の変位によって先端に位置する接触部２３ａも下方に変位する。接触部２３ａは、プラグＰ挿入にともなって下方に変位し、第２スウィッチ端子３０の接触部３３に近接する。第１スウィッチ端子２０と、第２スウィッチ端子３０とは接近するが、プラグＰはまだ正規嵌合位置まで挿入されていないので、この状態ではまだ第１スウィッチ端子２０と、第２スウィッチ端子３０とは接触しない。したがって、まだ検知スウィッチ２は入らない。
【００４５】
ジャック１にプラグＰが正規嵌合位置まで挿入された状態は、図１の（Ｃ）、図２の（Ｃ）、図９の（Ｂ）に示されるように、接触部４３ａの傾斜部４４を越えた上段側にプラグ先端部Ｐ１の最大拡径部Ｐ２が当接し、接続端子４０の接触部４３ａは最大変位を示す。接続端子４０の接触部４３ａは下方に大きく変位し樹脂玉５０を強く押し下げる。樹脂玉５０につながる第１スウィッチ端子２０の可動部２３は、樹脂玉５０の変位とともに、下方に大きく変位する。第１スウィッチ端子２０の可動部２３のこの変位量が所定量を超えるとき、先端部の接触部２３ａは、第２スウィッチ端子３０の接触部３３に接触する。このとき接点が形成されて電気的機械的に接続される。この接触によって検知スウィッチ２が入り、プラグ検知回路が閉じられる。
このように、プラグＰの挿入によって、接続端子４０に変位を生じさせ、これにより、第１スウィッチ端子２０と、第２スウィッチ端子３０とが電気的に接続し、その結果、検知回路が閉じられる。このようにして、状態を正確に認識して、プラグＰがジャック１に嵌合されたと検知される。
【００４６】
上述したように、プラグＰがジャック１に挿入されて正規嵌合位置に達すると検知スウィッチ２が作動し、検知回路が閉じられてプラグＰ挿入が検知される一方、プラグＰがジャック１から抜かれた場合は、第１スウィッチ端子２０と、第２スウィッチ端子３０との接続が解かれて、すなわち、接点部分が電気的機械的に離されて、プラグ検知回路が開かれることとなる。これにより、状態を正確に認識して、ジャック１からプラグＰが抜かれ
たことが検知される。
【００４７】
〔原理〕
本発明は、カム等の付加部品を用いないで、プラグの挿入方向の動きがこれに直交する方向に動作するスウィッチをｏｎ、ｏｆｆさせる検知機構を創作し、この機構をハウジングに僅かにできた隙間を利用して組み付けたものである。
これにより、小型化を阻害することなく、プラグの挿抜によっても樹脂の削りカスが生じないプラグ検知スウィッチを備えたジャックが得られる。
【００４８】
〔効果〕
・プラグ検知スウィッチのスウィッチ端子が直接プラグに接触することがなくプラグ検知が可能なので、プラグを通る電気信号に対してノイズが生じるおそれのないプラグ検知スウィッチ、及びプラグ検知方法が得られる。
・プラグ検知スウィッチのスウィッチ端子とプラグが直接接触することがなく、プラグの挿抜によっても樹脂の削りカスが生じるおそれのないプラグ検知スウィッチ、及びプラグ検知方法が得られる。
・径が小さくなったプラグ先頭部周辺の空間を利用して、プラグ検知スウィッチは構成されているので、ジャックの小型化の妨げにならない、上述したようなプラグ検知スウィッチ、及びプラグ検知方法が得られる。
・接続端子、第１スウィッチ端子、第２スウィッチ端子の３部品の弾性力の合力がプラグに作用するので、プラグ保持力が強化されたジャックが得られる。
・接続端子は、プラグ挿入位置によって板ばね機構の基部の位置が変化する。これにより、挿入初期から挿入完了まで挿入深さとともに挿入力が大きくなり、良好な挿入フィーリングが得られるとともに、正規嵌合位置でプラグに大きな保持力を作用させることができるジャックが得られる。
【００４９】
〈その他の実施形態〉
以上、本発明を実施形態に基づいて説明したが、本発明は、上述した実施形態に限られるものではなく、発明思想の範囲内で種々の変更が可能である。
【符号の説明】
【００５０】
Ｐ            プラグ
Ｐ１          先頭部
Ｐ２          最大拡径部
１            ジャック
２            検知スウィッチ
１０          ハウジング
１１          上壁
１２、１３    側壁
１４          下壁
１４ａ        縦壁
１５          圧入溝
１６、１７    開口部
１９          嵌合空間
２０          第１スウィッチ端子
２１          実装部
２１ａ        リード部
２２          固定部
２２ａ        圧入代
２３          可動部
２３ａ        接触部
２４          樹脂玉取り付け部
２４ａ        係止孔
３０          第２スウィッチ端子
３１          実装部
３１ａ        リード部
３２          固定部
３２ａ        圧入代
３３          接触部
４０          接続端子
４１          実装部
４１ａ        リード部
４２          固定部
４２ａ        圧入代
４３          接続部
４３ａ        接触部
４４          傾斜部
５０          樹脂玉
５１          当たり面
【図１】
0005931426.tif 000002
【図２】
0005931426.tif 000003
【図３】
0005931426.tif 000004
【図４】
0005931426.tif 000005
【図５】
0005931426.tif 000006
【図６】
0005931426.tif 000007
【図７】
0005931426.tif 000008
【図８】
0005931426.tif 000009
【図９】
0005931426.tif 000010